(57)【要約】【課題】着信ランプとカメラ用フラッシュとを兼用した携帯電話機を提供する。【解決手段】ＲＧＢ３色ＬＥＤ１１を着信ランプおよびカメラ用フラッシュとして兼用し、ＲＧＢ３色ＬＥＤ１１を携帯電話機におけるカメラの撮影方向の側に配置する。すなわち、携帯電話機が有する表示部１の背面側に、ＲＧＢ３色ＬＥＤ１１をカメラレンズ１２とともに配置する。そして、着信時にはＲＧＢ３色ＬＥＤ１１を所定のパターンで点灯させ、フラッシュ時にはＲＧＢ３色ＬＥＤ１１を点灯させる。この場合、フラッシュ時にＲＧＢ３色ＬＥＤ１１を流れる電流の電流値を、着信時にＲＧＢ３色ＬＥＤ１１を流れる電流の電流値よりも大きく設定し、ＲＧＢ３色ＬＥＤ１１の指向角をカメラの画角よりも広く設定し、ＲＧＢ３色ＬＥＤ１１の発光部前方に照射領域の周辺部の照度を高くする指向性調整レンズを配置している。【選択図】図１
2007037163.tif 000002
【特許請求の範囲】
【請求項１】
着信ランプとカメラとカメラ用フラッシュとを備えた携帯電話機において、
発光ダイオードを着信ランプおよびカメラ用フラッシュとして兼用し、
前記発光ダイオードが前記携帯電話機における前記カメラの撮影方向の側に配置されていることを特徴とする携帯電話機。
【請求項２】
前記携帯電話機が有する表示部の背面側に、前記発光ダイオードが配置されていることを特徴とする請求項１に記載の携帯電話機。
【請求項３】
前記携帯電話機が有する操作部と前記表示部とが対向するように折り曲げた状態で収納されることを特徴とする請求項２に記載の携帯電話機。
【請求項４】
着信時には前記発光ダイオードが所定のパターンで点灯し、フラッシュ時には発光ダイオードが点灯することを特徴とする請求項１に記載の携帯電話機。
【請求項５】
フラッシュ時に前記発光ダイオードを流れる電流の電流値を、着信時に発光ダイオードを流れる電流の電流値よりも大きくしたことを特徴とする請求項１に記載の携帯電話機。
【請求項６】
前記発光ダイオードの指向角がカメラの画角よりも広いことを特徴とする請求項１に記載の携帯電話機。
【請求項７】
前記発光ダイオードの発光部前方に照射領域の周辺部の照度を高くする指向性調整レンズが配置されていることを特徴とする請求項１に記載の携帯電話機。
【請求項８】
前記発光ダイオードが、赤色発光ダイオードチップと緑色発光ダイオードチップと青色発光ダイオードチップとからなるＲＧＢ３色発光ダイオードであることを特徴とする請求項１に記載の携帯電話機。
【発明の詳細な説明】
【技術分野】
【０００１】
本発明は、着信ランプとカメラとカメラ用フラッシュとを備えた携帯電話機に係り、特に、着信ランプおよびカメラ用フラッシュとして発光ダイオード（以下、単に「ＬＥＤ」という）が使用されている携帯電話機に関するものである。
【背景技術】
【０００２】
従来の携帯電話機の一例としては、Ｊ−ＰＨＯＮＥ（ジェイフォン株式会社の略）向けの株式会社東芝製カメラ内蔵携帯電話機があり、この携帯電話機にはフラッシュが装備されているが、携帯電話機本体に設けられたヘッドホン接続部分にフラッシュを外付けするといった形態をとっている。
【０００３】
また、従来の携帯電話機の他の例としては、ｃｄｍａＯｎｅ（ＤＤＩセルラーグループとＩＤＯが提供しているデジタル携帯電話サービス）によって提供された携帯電話機があり、この携帯電話機向けのデジタルカメラとして京セラ株式会社製のデジタルカメラがある。このデジタルカメラは、携帯電話機のインターフェースに接続して使用されるものであり、携帯電話機本体にカメラやフラッシュが内蔵されたものではない。
【０００４】
前記Ｊ−ＰＨＯＮＥ向けの株式会社東芝製カメラ内蔵携帯電話機に装備されるフラッシュもｃｄｍａＯｎｅによって提供された携帯電話機向けのデジタルカメラのフラッシュもＬＥＤによって実現されたものではない。
【０００５】
また、ＬＥＤを発光素子として用いた装置の一例として、特許文献１に開示されている撮影装置および画像通信装置がある。この撮影装置および画像通信装置では、ＬＥＤの前方に凸レンズを設けることによりＬＥＤの指向角を狭めて、被写体が撮影範囲内に存在しているか否かを確認している。
【特許文献１】特開平１１−１１２９５３号公報
【発明の開示】
【発明が解決しようとする課題】
【０００６】
前述した従来の携帯電話機には、フラッシュを外付けする必要があるか、またはカメラとフラッシュとを備えたデジタルカメラを接続する必要があるため、使用者が携帯電話機とは別にフラッシュまたはデジタルカメラを持ち歩く必要があるといった問題があった。
【０００７】
また、特許文献１に開示されている撮影装置および画像通信装置におけるレンズの使用方法では、レンズによりＬＥＤの指向角を狭めているためカメラの画角内全てにＬＥＤからの光をいきわたらせることが困難であるといった問題や、カメラの画角内におけるＬＥＤの照度を均一にすることができないといった問題があった。
【０００８】
本発明はこのような問題を解決すべく創案されたものであり、着信ランプとカメラ用フラッシュとを兼用した携帯電話機を提供することを目的とする。
【課題を解決するための手段】
【０００９】
上記課題を解決するため、本発明の携帯電話機は、着信ランプとカメラとカメラ用フラッシュとを備えた携帯電話機において、発光ダイオードを着信ランプおよびカメラ用フラッシュとして兼用し、前記発光ダイオードが前記携帯電話機における前記カメラの撮影方向の側に配置されていることを特徴としている。具体的には、携帯電話機の操作部と表示部とが、対向するように折り曲げた状態で収納されるようになっており、その表示部の背面側に、カメラと発光ダイオードとが配置されている。そして、着信時には発光ダイオードが所定のパターンで点灯し、フラッシュ時には発光ダイオードが点灯することで、着信時とフラッシュ時に対応するようになっている。
【００１０】
この場合、フラッシュ時に発光ダイオードを流れる電流の電流値を、着信時に発光ダイオードを流れる電流の電流値よりも大きくなるように設定している。これにより、フラッシュ時に十分な光量が確保でき、画像取り込みを確実に実施することができる。
【００１１】
また、発光ダイオードとしては、その指向角がカメラの画角よりも広いものを使用する。これにより、フラッシュ時、発光ダイオードから出力された光をカメラの画角内に確実に照射することができる。
【００１２】
また、発光ダイオードの発光部前方に照射領域の周辺部の照度を高くする指向性調整レンズが配置されていてもよい。このような指向性調整レンズを配置することで、発光ダイオードの照度をカメラの画角内において均一にすることができる。
【００１３】
また、発光ダイオードとしては、赤色発光ダイオードチップと緑色発光ダイオードチップと青色発光ダイオードチップとからなるＲＧＢ３色発光ダイオードを使用することができる。このようなＲＧＢ３色発光ダイオードを使用することで、カラー画像を取り込むことができる。
【発明の効果】
【００１４】
本発明によれば、発光ダイオードを携帯電話機におけるカメラの撮影方向の側に配置したので、この発光ダイオードを着信ランプおよびカメラ要フラッシュとして兼用することができる。また、フラッシュ時に発光ダイオードを流れる電流の電流値を、着信時に発光ダイオードを流れる電流の電流値よりも大きくなるように設定しているので、フラッシュ時に十分な光量が確保でき、画像取り込みを確実に実施することができる。また、発光ダイオードとしてその指向角がカメラの画角よりも広いものを使用しているので、フラッシュ時、発光ダイオードから出力された光をカメラの画角内に確実に照射することができる。
【００１５】
また、発光ダイオードの発光部前方に照射領域の周辺部の照度を高くする指向性調整レンズが配置されているので、発光ダイオードの照度をカメラの画角内において均一にすることができる。
【発明を実施するための最良の形態】
【００１６】
以下、本発明の実施の形態について図面を参照して説明する。
【００１７】
図１は、本発明の携帯電話機の一実施の形態を示す説明図である。
【００１８】
この携帯電話機は無線通信網を介して通信を実施するための携帯端末機であり、表示部１と操作部（図示せず）とから構成されている。この図では、２つ折りタイプが示されており、表示部１の背面側のみが図示されている。この表示部１には、アンテナ１４を初め、図示しない液晶表示画面やスピーカー等が設けられている。また、図示しない操作部には、ユーザが各種設定、メール作成およびダイヤル等を行う際に使用する数字キーと記号キーとファンクションキーとからなる操作キー、ならびにマイク等が設けられている。
【００１９】
これら表示部１と操作部とは蝶番等を介して接続されており、表示部１の液晶表示画面と操作部の操作キーとが対向するように折り曲げた状態で収納することができるようになっている。
【００２０】
また、表示部１の背面には、着信ランプおよびカメラ用フラッシュとしてのＬＥＤであるＲＧＢ３色ＬＥＤ１１と、カメラレンズ１２とが配置されている。ＬＥＤチップは厚さが０．２５ｍｍ、外形寸法が０．３×０．３ｍｍ程度と小さいので携帯電話の本体に内蔵することができる。なお、「ＲＧＢ」は光の３原色を示しており、「Ｒ」は「赤（Ｒｅｄ）」、「Ｇ」は「緑（Ｇｒｅｅｎ）」、「Ｂ」は「青（Ｂｌｕｅ）」の略であり、ＲＧＢ３色ＬＥＤ１１は、赤色光、緑色光および青色光をそれぞれ出力可能な３個の光源を備えたＬＥＤである。
【００２１】
また、カメラレンズ１２とＲＧＢ３色ＬＥＤ１１とを同じ位置に配置することは不可能であるため、ＲＧＢ３色ＬＥＤ１１としてその指向角がカメラレンズ１２の画角よりも広いものが使用されており、例えば、カメラレンズ１２の画角が約６０°である場合に、ＲＧＢ３色ＬＥＤ１１の指向角が１２０°であるものが使用される。さらに、ＲＧＢ３色ＬＥＤ１１の照度は照射領域の中央部に対して周辺部が暗くなってしまうため、指向角の広いＲＧＢ３色ＬＥＤ１１を使用することによって撮影範囲を確実に照射している。
【００２２】
なお、指向角とは、相対発光光度がＬＥＤの光度のピーク値の方向（光軸）から光度が所定の値となる方向とのなす角度であり、所定の値がピーク値に対して５０％になっているところの光軸からのなす角は特に指向半値角とも呼ばれる。指向半値角が小さいほど指向性が鋭いことになる。また、画角とは、カメラレンズの焦点距離の違いによって変わってくる、カメラに取り込まれる範囲のことであり、カメラレンズの焦点距離が小さいほど画角が大きくなり、カメラレンズの焦点距離が同じ場合には、カメラを構成するイメージセンサのサイズが大きい方が画角が大きくなる。
【００２３】
なお、ＲＧＢ３色ＬＥＤ１１の照度の不均一性を解消するために、ＲＧＢ３色ＬＥＤ１１はＬＥＤチップをモールドする樹脂の形状を調整するか、もしくは、ＬＥＤ１１とは別に前面に指向特性調整レンズ１３を取り付けてもよい。
【００２４】
図２は、図１に示す携帯電話機を構成するＲＧＢ３色ＬＥＤ１１の前面に取り付けられた指向特性調整レンズ１３の一例を示す概略断面図である。
【００２５】
ＲＧＢ３色ＬＥＤ１１の前面に取り付けられた指向特性調整レンズ１３は、ＲＧＢ３色ＬＥＤ１１の照射領域の周辺部の照度を高くするために、通常の球面レンズに比較してレンズ中央部に対してレンズ周辺部の厚さが厚い形状の非球面レンズとなっている。
【００２６】
図３は、図１に示す携帯電話機を構成するＲＧＢ３色ＬＥＤ１１の一例を示す拡大平面図であり、図４は、図３に示すＲＧＢ３色ＬＥＤの１１の配置を示す説明図である。
【００２７】
ＲＧＢ３色ＬＥＤ11は、基板２１表面の中央部に配置された赤色ＬＥＤチップ２２ａと、この赤色ＬＥＤチップ２２ａの右下側に配置された緑色ＬＥＤチップ２３ａと、赤色ＬＥＤチップ２２ａの左下側に配置された青色ＬＥＤチップ２４ａとを備えている。
【００２８】
また、赤色ＬＥＤチップ２２ａ、緑色ＬＥＤチップ２３ａおよび青色ＬＥＤチップ２４ａは、第１フレーム２２ｂ、第２フレーム２３ｂおよび第３フレーム２４ｂを介してそれぞれ基板２１表面に配置されている。そして、赤色ＬＥＤチップ２２ａは第１フレーム２２ｂにダイボンディングされており、緑色ＬＥＤチップ２３ａは第２フレーム２３ｂにダイボンディングされており、青色ＬＥＤチップ２４ａは第３フレーム２４ｂにダイボンディングされている。さらに、赤色ＬＥＤチップ２２ａは第４フレーム２２ｃに第１Ａｕ線（金線）２２ｄを介してワイヤボンディングされており、緑色ＬＥＤチップ２３ａは第５フレーム２３ｃに第２Ａｕ線２３ｄを介してワイヤボンディングされており、青色ＬＥＤチップ２４ａは第６フレーム２４ｃに第３Ａｕ線２４ｄを介してワイヤボンディングされている。
【００２９】
そして、これらの基板２１、赤色ＬＥＤチップ２２ａ、緑色ＬＥＤチップ２３ａ、青色ＬＥＤチップ２４ａ、第１フレーム２２ｂ、第２フレーム２３ｂ、第３フレーム２４ｂ、第４フレーム２２ｃ、第５フレーム２３ｃおよび第６フレーム２４ｃは、光透過性樹脂で形成された封止樹脂部２５によってパッケージングされている。この封止樹脂部２５の側面には、第１フレーム２２ｂに電気的に接続されている第１端子２２ｅと、第２フレーム２３ｂに電気的に接続されている第２端子２３ｅと、第３フレーム２４ｂに電気的に接続されている第３端子２４ｅと、第４フレーム２２ｃに電気的に接続されている第４端子２２ｆと、第５フレーム２３ｃに電気的に接続されている第５端子２３ｆと第６フレーム２４ｃに電気的に接続されている第６端子２４ｆとが配置されている。
【００３０】
なお、図３においては、封止樹脂部２５内部の構造をより明確に示すために、封止樹脂部２５のうち領域Ａで示す部分を切り欠いて、基板２１、赤色ＬＥＤチップ２２ａ、緑色ＬＥＤチップ２３ａ、青色ＬＥＤチップ２４ａ、第１フレーム２２ｂ、第２フレーム２３ｂ、第３フレーム２４ｂ、第４フレーム２２ｃ、第５フレーム２３ｃおよび第６フレーム２４ｃを図示している。
【００３１】
なお、本実施の形態においては、ＬＥＤとして、図３および図４に示すように、赤色ＬＥＤチップ２２ａ、緑色ＬＥＤチップ２３ａおよび青色ＬＥＤチップ２４ａを備えたＲＧＢ３色ＬＥＤ１１を用いているが、本発明の携帯電話機はこの形態に限定されるものではない。
【００３２】
例えば、カメラによって取り込まれた画像が単色（白黒やセピア色等）のものであってもよい。この場合、光源として用いるＬＥＤの色は白色やセピア色である必要はなく、単に、反射部位の形状や色に応じて反射光の強度に差が生じればよいので、光源は例えば赤色のものであっても黄色のものであってもよい。さらに、この反射光はカメラで検出され、カメラは検出した反射光の強度に応じた信号をモニター側に出力し、モニター上にはカメラから出力された信号に応じて白黒またはセピア色等の画像が表示される。
【００３３】
次いで、ＲＧＢ３色ＬＥＤ用の駆動ドライバについて図面を参照しつつ説明する。
【００３４】
まず初めに、ＲＧＢ３色ＬＥＤ１１内の赤色ＬＥＤチップ２２ａ、緑色ＬＥＤチップ２３ａおよび青色ＬＥＤチップ２４ａを並列接続した場合について説明する。
【００３５】
図５は、図３に示すＲＧＢ３色ＬＥＤ１１の一接続例を示す回路図である。
【００３６】
ここでは、赤色ＬＥＤチップ２２ａ、緑色ＬＥＤチップ２３ａおよび青色ＬＥＤチップ２４ａのアノード端子が図示しない電源端子に対して並列に接続されており、それぞれのカソード端子とアース電位との間に、赤色用駆動ドライバ３０、緑色用駆動ドライバ４０および青色用駆動ドライバ５０がそれぞれ接続された構成となっている。
【００３７】
赤色用駆動ドライバ３０は、第１抵抗３１と第２抵抗３２と第１スイッチ３３と第２スイッチ３４とで構成されている。すなわち、第１抵抗３１および第２抵抗３２の一端部が赤色ＬＥＤチップ２２ａのカソード端子に接続されており、第１抵抗３１の他端部が第１スイッチ３３の一端部に接続されており、第２抵抗３２の他端部が第２スイッチ３４の一端部に接続されており、第１スイッチ３３および第２スイッチ３４の他端部が接地（アース電位に接続）されている。
【００３８】
同様に、緑色用駆動ドライバ４０は、第３抵抗４１と第４抵抗４２と第３スイッチ４３と第４スイッチ４４とで構成されている。すなわち、第３抵抗４１および第４抵抗４２の一端部が緑色ＬＥＤチップ２３ａのカソード端子に接続されており、第３抵抗４１の他端部が第３スイッチ４３の一端部に接続されており、第４抵抗４２の他端部が第４スイッチ４４の一端部に接続されており、第３スイッチ４３および第２スイッチ４４の他端部が接地（アース電位に接続）されている。
【００３９】
同様に、青色用駆動ドライバ５０は、第５抵抗５１と第６抵抗５２と第５スイッチ５３と第６スイッチ５４とで構成されている。すなわち、第５抵抗５１および第６抵抗５２の一端部が青色ＬＥＤチップ２４ａのカソード端子に接続されており、第５抵抗５１の他端部が第５スイッチ５３の一端部に接続されており、第６抵抗５２の他端部が第６スイッチ５４の一端部に接続されており、第５スイッチ５３および第６スイッチ５４の他端部が接地（アース電位に接続）されている。
【００４０】
なお、図中の矢印Ｄ１〜Ｄ６は順電流を示している。
【００４１】
このような構造の赤色用駆動ドライバ３０、緑色用駆動ドライバ４０および青色用駆動ドライバ５０において、赤色用駆動ドライバ３０、緑色用駆動ドライバ４０および青色用駆動ドライバ５０の全体に電圧を５Ｖ（ボルト）印加し、赤色ＬＥＤチップ２２ａ、緑色ＬＥＤチップ２３ａおよび青色ＬＥＤチップ２４ａのそれぞれを、フラッシュ時には４０ｍＡ（ミリアンペア）の順電流を流して点灯させ、着信時には２０ｍＡの順電流を流して点灯させるように、ＲＧＢ３色ＬＥＤ１１を駆動制御する場合について説明する。
【００４２】
すなわち、順電流が２０ｍＡであるときの、赤色ＬＥＤチップ２２ａ、緑色ＬＥＤチップ２３ａおよび青色ＬＥＤチップ２４ａそれぞれの順電圧は、赤色ＬＥＤチップ２２ａが１．９Ｖであり、緑色ＬＥＤチップ２３ａおよび青色ＬＥＤチップ２４ａが３．８５Ｖであるため、第１抵抗３１および第２抵抗３２には３．１Ｖの電圧がかかり、第３抵抗４１、第４抵抗４２、第５抵抗５１および第６抵抗５２には１．１５Ｖの電圧がかかることになる。
【００４３】
従って、第１抵抗３１および第２抵抗３２の抵抗値を１５５Ω（＝３．１÷０．０２）とし、第３抵抗４１、第４抵抗４２、第５抵抗５１および第６抵抗５２の抵抗値を５７．５Ω（＝１．１５÷０．０２）とする。
【００４４】
また、第１スイッチ３３、第２スイッチ３４、第３スイッチ４３、第４スイッチ４４、第５スイッチ５３および第６スイッチ５４は、ＲＧＢ３色ＬＥＤ１１をフラッシュとして使用するときには全てＯＮ状態に切り替え、ＲＧＢ３色ＬＥＤ１１を着信ランプとして使用するときにはＯＮ・ＯＦＦ状態を適宜選択して組み合わせることにより種々のパターンおよび色で発光させることができる。
【００４５】
例えば、第1スイッチ３３と第３スイッチ４１とをＯＮ状態とし、他のスイッチを全てＯＦＦ状態としたときには、ＲＧＢ３色ＬＥＤ１１が黄色に発光し、第１スイッチ２２と第５スイッチ５１とをＯＮ状態とし、他のスイッチを全てＯＦＦ状態としたときには、ＲＧＢ３色ＬＥＤ１１が紫色に発光する。
【００４６】
さらに、赤色ＬＥＤチップ２２ａ、緑色ＬＥＤチップ２３ａおよび青色ＬＥＤチップ２４ａそれぞれを流れる電流の大きさを変えるには、第１抵抗３１、第２抵抗３２、第３抵抗４１、第４抵抗４２、第５抵抗５１および第６抵抗５２それぞれの抵抗値を変更すればよい。抵抗値を変更することによって、赤色ＬＥＤチップ２２ａ、緑色ＬＥＤチップ２３ａおよび青色ＬＥＤチップ２４ａ点灯時の色座標によりホワイトバランスを調整することができ、また、フラッシュ時に流れる電流を着信時に流れる電流の２倍以上の大きさに調整することができる。
【００４７】
なお、第１抵抗３１、第２抵抗３２、第３抵抗４１、第４抵抗４２、第５抵抗５１および第６抵抗５２の代わりに定電流回路を用いてもよい。
【００４８】
次に、ＲＧＢ３色ＬＥＤ１１内の赤色ＬＥＤチップ２２ａ、緑色ＬＥＤチップ２３ａおよび青色ＬＥＤチップ２４ａを直列接続した場合について説明する。
【００４９】
図６は、図３に示すＲＧＢ３色ＬＥＤ１１の他の接続例を示す回路図である。
【００５０】
ここでは、第１スイッチ６１、第２スイッチ６２、第３スイッチ６３、第４スイッチ６４および定電流回路６５から構成された駆動ドライバが用いられている。
【００５１】
具体的に説明すると、電源とアース電位との間に、赤色発光ダイオードチップ２２ａ、緑色発光ダイオードチップ２３ａ、青色発光ダイオードチップ２４ａおよび第１スイッチ６１が直列に接続される一方、赤色発光ダイオードチップ２２ａに並列に第２スイッチ６２が接続され、緑色発光ダイオードチップ２３ａに並列に第３スイッチ６３が接続され、青色発光ダイオードチップ２４ａに並列に第４スイッチ６４が接続されている。そして、着信時には第１スイッチ６１がＯＮ状態に切り替わるとともに、第２ないし第４スイッチ６２〜６４が選択的に組み合わされてＯＮ状態に切り替わることにより、ＲＧＢ３色発光ダイオード１１が所定のパターンおよび色で発光し、フラッシュ時には第２ないし第４スイッチ６２〜６４がＯＦＦ状態で、第１スイッチ６１のみがＯＮ状態に切り替わることにより、ＲＧＢ３色発光ダイオード１１が発光する。
【００５２】
このように、赤色ＬＥＤチップ２２ａ、緑色ＬＥＤチップ２３ａおよび青色ＬＥＤチップ２４ａが直列接続されている場合には、駆動ドライバ内において電流値が一定となるため、定電流回路６５が用いられている。さらに、第１スイッチ６１、第２スイッチ６２、第３スイッチ６３および第４スイッチ６４を設けることにより、赤色ＬＥＤチップ２２ａ、緑色ＬＥＤチップ２３ａおよび青色ＬＥＤチップ２４ａそれぞれを独立して点灯させることができる。
【００５３】
なお、定電流回路の電流値を２段階以上に切り換えられるようにすることにより、ＲＧＢ３色ＬＥＤ１１からの出力光の強度が着信時よりもフラッシュ時の方が大きくなるように駆動制御することができる。さらに、カメラとして用いているＣ−ＭＯＳ（Ｃｏｍｐｌｅｍｅｎｔａｒｙ Ｍｅｔａｌ−Ｏｘｉｄｅ Ｓｅｍｉｃｏｎｄｕｃｔｏｒ）イメージャーの感度やＣＣＤ（ｃｈａｒｇｅ ｃｏｕｐｌｅｄ ｄｅｖｉｃｅ）の感度に従って、フラッシュ点灯時のＲＧＢ３色ＬＥＤ１１を流れる電流値を決定することができる。一般には、Ｃ−ＭＯＳイメージャーを用いた場合には、ＲＧＢ３色ＬＥＤ１１の発光部から５０ｃｍの位置で照度が２０ｌｘ（ルクス）となるように、ＲＧＢ３色ＬＥＤ１１を流れる電流値を決定する。
【００５４】
定電流回路の電流値を切り換えるだけでなく、例えば、スイッチ６２を周期的にＯＮ−ＯＦＦするようにし、周期、及びＯＮ時間を切り換えられるようにしてＬＥＤ２２ａ，２３ａ，２４ａに流す電流の周期、通電時間を切り換えても良い。着信表示のときは周期を１０Ｈｚ程度と遅く設定し、通電時間は１周期の１／２程度とすれば良い。一方、フラッシュとして用いるときは通電時間がシャッター速度と同程度の単一のパルスとし、パルスのピーク光度を高く設定するのが望ましい。ＬＥＤを用いているため、着信表示とフラッシュの両方の機能を兼ね備えることができ、しかも携帯電話機の本体に内蔵することができるのである。
【図面の簡単な説明】
【００５５】
【図１】本発明の携帯電話機の一実施の形態を示す説明図である。
【図２】図１に示す携帯電話機を構成するＲＧＢ３色ＬＥＤの前方に取り付けられた指向特性調整レンズの一例を示す概略断面図である。
【図３】図１に示す携帯電話機を構成するＲＧＢ３色ＬＥＤの一例を示す拡大平面図である。
【図４】図３に示すＲＧＢ３色ＬＥＤの配置例を示す説明図である。
【図５】図３に示すＲＧＢ３色ＬＥＤの一接続例を示す回路図である。
【図６】図３に示すＲＧＢ３色ＬＥＤの他の接続例を示す回路図である。
【符号の説明】
【００５６】
１  表示部
１１  ＲＧＢ３色ＬＥＤ
１２  カメラレンズ
１３  指向特性調整レンズ
２２ａ  赤色ＬＥＤチップ
２３ａ  緑色ＬＥＤチップ
２４ａ  青色ＬＥＤチップ
【図１】
2007037163.tif 000003
【図２】
2007037163.tif 000004
【図３】
2007037163.tif 000005
【図４】
2007037163.tif 000006
【図５】
2007037163.tif 000007
【図６】
2007037163.tif 000008